(57)【要約】      （修正有）【課題】簡単な構成で、少量の製造に適したレンズ付きフィルムユニット容器へのフィルム装填装置を提供する。【解決手段】基台上の後方に配置され、透孔を有するフィルムが収容されるレンズ付きフィルムユニット容器の仮収容部、基台上に配置されたレールに前後に移動可能に係合した支柱、支柱に固定されたフィルムカートリッジ仮保持装置、一方の端部がハンドル部を形成し、他方の端部が支柱に回転可能に軸支された左右に伸びる主レバー、主レバーに固定されたフィルム巻き取り装置、フィルムの透孔を検出する光センサ、一方の端部が主レバーと同軸に軸支され、主レバーと連動回転する補助ロッド、主レバーの起点位置からの回転に連動回転する補助ロッドの他方の端部を、その高さ方向の位置を規制しながら基台の前方から後方へ案内する案内部材を含む。【選択図】        図３
2006267498.tif 000002
【特許請求の範囲】
【請求項１】
基台；基台の上面の後方に配置された、フィルムカートリッジ収容部とカートリッジから引き出された、幅方向端部近傍に透孔が形成されているフィルムの巻回体の収容部とを有するレンズ付きフィルムユニット容器を仮収容するフィルムユニット容器仮収容部；基台の上面に前後に伸びるように配置されたレール；レールの上部に該レールに沿って前後に移動可能に係合している支柱；支柱の上部に固定されている、該支柱の後方への移動によりフィルムカートリッジを該カートリッジ収容部まで仮保持するカートリッジ仮保持装置；一方の端部がハンドル部を形成し、他方の端部が該支柱の上部に回転可能に軸支されている、基台の左右に伸びる主レバー；主レバーの軸支部とハンドル部との中間位置に固定されたフィルム巻き取り装置；巻き取り装置に巻き取られるフィルムの上記透孔を検出する光センサ；一方の端部が主レバーと同軸に軸支されている、主レバーと連動して回転する主レバー補助ロッド；そして主レバーをフィルム巻き取り装置が上方に移動するように起点位置から回転させた際に、この回転に連動して回転した主レバー補助ロッドの他方の端部の高さ方向の位置を規制しながら、フィルムカートリッジがカートリッジ収容部に到達するまで主レバー補助ロッドの上記他方の端部を基台に沿って前方から後方へと案内する、基台上面の側部に前後に伸びて配置された案内部材を含むレンズ付きフィルムユニット容器へのフィルム装填装置。
【請求項２】
主レバーが、起点位置にて基台上面に対して平行に配置されている請求項１に記載のフィルム装填装置。
【請求項３】
基台の上面が、前方から後方にかけて高くなるような傾斜をもつ請求項１もしくは２に記載のフィルム装填装置。
【請求項４】
フィルム巻き取り装置が、軸回転が可能なように主レバーに固定されたフィルム巻き取り軸、該フィルム巻き取り軸の軸回転を駆動するモータ、そして上記の光センサの透孔の検出結果に基づいて該モータの軸回転を停止させる制御装置からなる請求項１乃至３のうちのいずれかの項に記載のフィルム装填装置。
【請求項５】
基台；基台の上面の後方に配置された、パトローネ収容部とパトローネから引き出されたフィルムの巻回体の収容部とを有するレンズ付きフィルムユニット容器を仮収容するフィルムユニット容器仮収容部；基台の上面に前後に伸びるように配置されたレール；レールの上部に該レールに沿って前後に移動可能に係合している支柱；支柱の上部に固定されている、該支柱の後方への移動によりパトローネをパトローネ収容部まで仮保持するパトローネ仮保持装置；一方の端部がハンドル部を形成し、他方の端部が該支柱の上部に回転可能に軸支されている、基台の左右に伸びる主レバー；主レバーの軸支部とハンドル部との中間位置に固定されたフィルム巻き取り装置；一方の端部が主レバーと同軸に軸支されている、主レバーと連動して回転する主レバー補助ロッド；そして主レバーをフィルム巻き取り装置が上方に移動するように起点位置から回転させた際に、この回転に連動して回転した主レバー補助ロッドの他方の端部の高さ方向の位置を規制しながら、パトローネがパトローネ収容部に到達するまで主レバー補助ロッドの上記他方の端部を基台に沿って前方から後方へと案内する、基台上面の側部に前後に伸びて配置された案内部材を含むレンズ付きフィルムユニット容器へのフィルム装填装置。
【請求項６】
主レバーが、起点位置にて基台上面に対して平行に配置されている請求項５に記載のフィルム装填装置。
【請求項７】
基台の上面が、前方から後方にかけて高くなるような傾斜をもつ請求項５もしくは６に記載のフィルム装填装置。
【請求項８】
フィルム巻き取り装置が、軸回転が可能なように主レバーに固定されたフィルム巻き取り軸、該フィルム巻き取り軸の軸回転を駆動するモータ、そして該フィルム巻き取り軸とモータとを仮接合状態に置き、パトローネとフィルム巻き取り軸との間に所定以上の負荷がかかった場合に、該フィルム巻き取り軸とモータとの仮接合を切り離す仮接合装置からなる請求項５乃至７のうちのいずれかの項に記載のフィルム装填装置。
【請求項９】
フィルム巻き取り軸とモータとの仮接合装置が、円盤状マグネットである請求項８に記載のフィルム装填装置。
【発明の詳細な説明】
【技術分野】
【０００１】
本発明は、レンズ付きフィルムユニット容器にフィルムを装填する装置に関する。
【背景技術】
【０００２】
撮影レンズやシャッタなどの簡単な撮影機構を備えた遮光性ケースに写真フィルムを収容したレンズ付きフィルムユニット（例えば、商品名「写るんです」、冨士写真フィルム（株）製）は、簡便な写真撮影機として広く利用されている。このようなレンズ付きフィルムユニットに収容する写真フィルムとしては、３５ｍｍフィルムやＡＰＳ（Ａｄｖａｎｃｅｄ  Ｐｈｏｔｏ  Ｓｙｓｔｅｍ）フィルムが用いられている。
【０００３】
レンズ付きフィルムユニットは、フィルムの巻き戻し機構を省略するために、例えば、ＡＰＳフィルムとフィルムカートリッジとを、ＡＰＳフィルムがカートリッジから引き出されて巻回体を形成している状態にて収容しており、そして撮影終了毎に露光済みのフィルムをカートリッジ内部に巻き込む構造となっている。
【０００４】
このような構造のレンズ付きフィルムユニットは、暗所（例えば、暗室など）にて、フィルムカートリッジ収容部とフィルムの巻回体の収容部とを備えたレンズ付きのフィルムユニット容器の各々の収容部に、フィルムカートリッジとカートリッジから引き出されたフィルムの巻回体とを装填し、そしてフィルムユニット容器に遮光用の蓋を取り付けることにより製造されている。
【０００５】
特許文献１には、３５ｍｍフィルムを用いたレンズ付きフィルムユニットのフィルム装填装置が開示されている。このフィルム装填装置は、フィルムユニット容器（ユニット本体）、フィルムを収容しているパトローネ、そしてユニット容器の蓋（後カバー）を暗箱内に入れ、次いでフィルムをパトローネから引き出してロール状に巻いてフィルム巻回体（フィルムロール）を形成し、パトローネとフィルム巻回体とをフィルムユニット容器に装填し、そしてユニット容器に蓋を取り付けてレンズ付きフィルムユニットを製造して、これを暗箱の外に取り出すまでの一連の操作を完全に自動で行なえるとされている。
【特許文献１】特許第３１３０１７４号公報
【発明の開示】
【発明が解決しようとする課題】
【０００６】
特許文献１のフィルム装填装置は、大量のレンズ付きフィルムユニットを製造する際に有利に用いることができる装置である。しかしながら、少量のレンズ付きフィルムユニットを製造する際には、完全には自動化されていなくとも、暗所での簡易な操作によってフィルムカートリッジとカートリッジから引き出されたフィルムの巻回体とをレンズ付きフィルムユニット容器の各々の収容部に正確に装填することができる簡単な構成のフィルム装填装置があれば望ましい。
【０００７】
本発明の課題は、少量のレンズ付きフィルムユニットを製造する際に有利に用いることができるレンズ付きフィルムユニット容器へのフィルム装填装置を提供することにある。
【課題を解決するための手段】
【０００８】
本発明は第一に、基台、基台の上面の後方に配置された、フィルムカートリッジ収容部とカートリッジから引き出された、幅方向端部近傍に透孔が形成されているフィルムの巻回体の収容部とを有するレンズ付きフィルムユニット容器を仮収容するフィルムユニット容器仮収容部、基台の上面に前後に伸びるように配置されたレール、レールの上部にレールに沿って前後に移動可能に係合している支柱、支柱の上部に固定されている、支柱の後方への移動によりフィルムカートリッジを上記のカートリッジ収容部まで仮保持するカートリッジ仮保持装置、一方の端部がハンドル部を形成し、他方の端部が支柱の上部に回転可能に軸支されている、基台の左右に伸びる主レバー、主レバーの軸支部とハンドル部との中間位置に固定されたフィルム巻き取り装置、巻き取り装置に巻き取られるフィルムの上記透孔を検出する光センサ、一方の端部が主レバーと同軸に軸支されている、主レバーと連動して回転する主レバー補助ロッド、そして主レバーをフィルム巻き取り装置が上方に移動するように起点位置から回転させた際に、この回転に連動して回転した主レバー補助ロッドの他方の端部の高さ方向の位置を規制しながら、フィルムカートリッジがカートリッジ収容部に到達するまで主レバー補助ロッドの上記他方の端部を基台に沿って前方から後方へと案内する、基台上面の側部に前後に伸びて配置された案内部材を含むレンズ付きフィルムユニット容器へのフィルム装填装置にある。
【０００９】
上記の第一の発明のフィルム装填装置の好ましい態様は、次の通りである。
（１）主レバーが、起点位置にて基台上面に対して平行に配置されている。
（２）基台の上面が、前方から後方にかけて高くなるような傾斜をもつ。
（３）フィルム巻き取り装置が、軸回転が可能なように主レバーに固定されたフィルム巻き取り軸、このフィルム巻き取り軸の軸回転を駆動するモータ、そして上記の光センサの透孔の検出結果に基づいてモータの軸回転を停止させる制御装置からなる。
【００１０】
本発明は第二に、基台、基台の上面の後方に配置された、パトローネ収容部とパトローネから引き出されたフィルムの巻回体の収容部とを有するレンズ付きフィルムユニット容器を仮収容するフィルムユニット容器仮収容部、基台の上面に前後に伸びるように配置されたレール、レールの上部にレールに沿って前後に移動可能に係合している支柱、支柱の上部に固定されている、支柱の後方への移動によりパトローネをパトローネ収容部まで仮保持するパトローネ仮保持装置、一方の端部がハンドル部を形成し、他方の端部が支柱の上部に回転可能に軸支されている、基台の左右に伸びる主レバー、主レバーの軸支部とハンドル部との中間位置に固定されたフィルム巻き取り装置、一方の端部が主レバーと同軸に軸支されている、主レバーと連動して回転する主レバー補助ロッド、そして主レバーをフィルム巻き取り装置が上方に移動するように起点位置から回転させた際に、この回転に連動して回転した主レバー補助ロッドの他方の端部の高さ方向の位置を規制しながら、パトローネがパトローネ収容部に到達するまで主レバー補助ロッドの上記他方の端部を基台に沿って前方から後方へと案内する、基台上面の側部に前後に伸びて配置された案内部材を含むレンズ付きフィルムユニット容器へのフィルム装填装置にもある。
【００１１】
上記の第二の発明のフィルム装填装置の好ましい態様は、次の通りである。
（１）主レバーが、起点位置にて基台上面に対して平行に配置されている。
（２）基台の上面が、前方から後方にかけて高くなるような傾斜をもつ。
（３）フィルム巻き取り装置が、軸回転が可能なように主レバーに固定されたフィルム巻き取り軸、このフィルム巻き取り軸の軸回転を駆動するモータ、そして前記のフィルム巻き取り軸とモータとを仮接合状態に置き、パトローネとフィルム巻き取り軸との間に所定以上の負荷がかかった場合に、フィルム巻き取り軸とモータとの仮接合を切り離す仮接合装置からなる。さらに好ましくは、フィルム巻き取り軸とモータとの仮接合装置が円盤状マグネットである。
【発明の効果】
【００１２】
本発明のフィルム装填装置はその構成が簡単であると共に、例えば、ＡＰＳフィルムをフィルムカートリッジから所定の長さだけ引き出し、これをロール状に巻いてフィルム巻回体を形成し、そしてフィルムカートリッジとフィルム巻回体とをレンズ付きフィルムユニット容器の各々の収容部に装填するまでの作業を、暗所においても主レバー等を用いた簡易な操作によって正確に行なうことができる。このため本発明のフィルム装填装置は、少量のレンズ付きフィルムユニットを製造する際に有利に用いることができる。
【発明を実施するための最良の形態】
【００１３】
先ず、第一の発明のフィルム装填装置によって有利に製造することができるＡＰＳフィルムを用いたレンズ付きフィルムユニットについて説明する。図１は、ＡＰＳフィルムを用いたレンズ付きフィルムユニットの構成例を示す分解斜視図である。
【００１４】
図１のレンズ付きフィルムユニット１０は、フィルムカートリッジ収容部１４とフィルム巻回体収容部１５とを有するレンズ付きフィルムユニット容器１６、フィルムユニット容器１６の各々の収容部に装填されているフィルムカートリッジ１１とカートリッジ１１から引き出されたＡＰＳフィルム１２の巻回体１３、そしてフィルムユニット容器１６の蓋１７から構成されている。
【００１５】
レンズ付きフィルムユニット１０は、暗所（例えば、暗室など）にて、先ずフィルムカートリッジ１１を遮光しているシャッタ２１を開けてＡＰＳフィルム１２を引き出し、これをロール状に巻いてフィルムの巻回体１３を形成し、次いでフィルムカートリッジ１１とフィルム巻回体１３とを、フィルムユニット容器１６のフィルムカートリッジ収容部１４とフィルム巻回体収容部１５とにそれぞれ装填し、そしてフィルムユニット容器１６に蓋１７を取り付けて、そのカートリッジ収容部蓋材１４ａとフィルム巻回体収容部蓋材１５ａとを折り曲げて各々の収容部に蓋をすることで製造される。
【００１６】
フィルムカートリッジ１１のシャッタ２１は、シャッタ開閉用の孔部２２に棒状のシャッタ開閉具を挿入して回転させると開閉するようになっている。また、フィルムカートリッジ１１の内部にはＡＰＳフィルム１２を巻き取るための軸が備えられており、シャッタ２１が開いた状態で、軸回転用の孔部２３に棒状の軸回転具を挿入して回転させるとシャッタの開口からフィルムの先端を出したり（ベロ出しと呼ばれている）、カートリッジ内部の軸にフィルムを巻き取ったりすることができる。
【００１７】
ＡＰＳフィルムは、コンパクトカメラなどでフィルムの途中のコマ（フレーム）まで写真撮影をしてから一旦フィルムをカートリッジ内部に巻き込んでカメラから取り出し、例えば、感度が異なる別のＡＰＳフィルムをカメラに装填して写真撮影をした後に同様にしてカメラから取り出し、そして再び最初に使用したＡＰＳフィルムをカメラに装填して、撮影済みのフレームの次のフレームから写真撮影ができるように工夫されている。
【００１８】
このようなフィルムの交換を可能にするためには、最初に使用したＡＰＳフィルムを再びカメラに装填した際に、フィルムのいずれのフレームまでが撮影済みであるか、そして各々のフレームがフィルムのどの位置にあるかをカメラが認識できるようにする必要がある。このため、ＡＰＳフィルムの表面には、いずれのフレームまでが撮影済みであるかを示す情報などが記録される透明な磁気記録層が備えられており、またフィルムの幅方向端部近傍には、各々のフレームの位置を示す透孔、例えば、図１に示すＡＰＳフィルム１２において最終フレーム２０の位置を示す透孔１８が設けられている。なお、ＡＰＳフィルム１２の幅方向端部近傍に形成された透孔１９は、コンパクトカメラなどでの最終フレーム２０の写真撮影が終了して、フィルム１２をカートリッジ１１の内部に巻き戻し始めてよいことをカメラに認識させるためのものである。
【００１９】
このように、ＡＰＳフィルムでは、写真撮影が行なわれる各フレームの位置が予め定められている。このためレンズ付きフィルムユニット１０を製造する際には、フィルムカートリッジからフィルムを最後まで引き出して巻回体を形成するのではなく、レンズ付きフィルムユニットの場合に最初に写真撮影が行なわれるＡＰＳフィルムの最終フレーム２０が所定の位置に配置されるようにフィルム１２を引き出した状態（カートリッジ内部の軸に残りのフィルム部分が巻かれている状態）にてフィルム巻回体１３を形成する必要がある。
【００２０】
次に、第一の発明のフィルム装填装置を、添付の図面を用いて説明する。図２は、第一の発明のフィルム装填装置の正面図であり、図３は、図２のフィルム装填装置３０の平面図であり、図４は、図２のフィルム装填装置３０の背面図である。図２及び図４においては、図３に示すフィルムユニット容器仮収容部３２、モータ駆動用のスイッチ５０ａ、５０ｂなどの記載を省略して図面を簡略化してある。また図５は、図２のフィルム装填装置３０の右側面図である。図５には、図１のフィルム装填装置３０の基台３１の上面を前方から後方にかけて高くなるように傾斜を持たせるために用いる基台支持台３１ａが記載してある。
【００２１】
フィルム装填装置３０は、図１のＡＰＳフィルムを用いたレンズ付きフィルムユニット１０の製造用として、そのフィルムユニット容器仮収容部３２の容器位置決め枠４２や容器受け台４３のサイズや配置が定められており、またカートリッジ仮保持装置３５がＡＰＳフィルム用のフィルムカートリッジ１１を仮保持できるように設計されている。
【００２２】
第一の発明のフィルム装填装置を用いて、３５ｍｍフィルムを用いたレンズ付きフィルムユニットを製造するには、これに応じてフィルムユニット容器仮収容部の容器位置決め枠や容器受け台のサイズや配置を適当に定め、そしてカートリッジ仮保持装置を３５ｍｍフィルム用のフィルムカートリッジ（一般に、パトローネと呼ばれている）を仮保持できるように設計すればよい。
【００２３】
以下では、第一の発明のフィルム装填装置を、図１のＡＰＳフィルムを用いたレンズ付きフィルムユニット１０の製造に用いるフィルム装填装置、すなわち図２から図５に示すフィルム装填装置３０を例として説明する。なお、フィルム装填装置３０は、フィルムの露光を防止できる暗所（例、暗室）に設置されて使用される。
【００２４】
図２から図５に示すフィルム装填装置３０は、基台３１、基台３１の上面の後方に配置された、フィルムカートリッジ収容部１４とカートリッジから引き出された、幅方向端部近傍に透孔が形成されているフィルムの巻回体の収容部１５とを有するレンズ付きフィルムユニット容器１６を仮収容するフィルムユニット容器仮収容部３２、基台３１の上面に前後に伸びるように配置されたレール３３、レール３３の上部にレールに沿って前後に移動可能に係合している支柱３４、支柱３４の上部に固定されている、支柱３４の後方への移動によりフィルムカートリッジ１１をカートリッジ収容部１４まで仮保持するカートリッジ仮保持装置３５、一方の端部がハンドル部３６を形成し、他方の端部が支柱３４の上部に回転可能に軸支されている、基台３１の左右に伸びる主レバー３７、主レバー３７の軸支部とハンドル部３６との中間位置に固定されたフィルム巻き取り装置３８、巻き取り装置３８に巻き取られるフィルム１２の透孔１９を検出する光センサ３９、一方の端部が主レバー３７と同軸に軸支されている、主レバーと連動して回転する主レバー補助ロッド４０、そして主レバー３７をフィルム巻き取り装置３８が上方に移動するように起点位置から回転させた際に、この回転に連動して回転した主レバー補助ロッド４０の他方の端部の高さ方向の位置を規制しながら、フィルムカートリッジ１１がカートリッジ収容部１４に到達するまで主レバー補助ロッド４０の上記他方の端部を基台３１に沿って前方から後方へと案内する、基台上面の側部に前後に伸びて配置された案内部材４１などから構成されている。
【００２５】
図３に示すように、フィルムユニット容器仮収容部３２は、ＡＰＳフィルムを用いたレンズ付きフィルムユニットの容器１６を前後方向と左右方向とから挟むように配置された容器位置決め枠４２と、容器位置決め枠４２の内側に設けられた容器受け台４３とから構成されている。レンズ付きフィルムユニット容器１６は、そのフィルムカートリッジ収容部１４とフィルム巻回体収容部１５とが前方に配置されるようにフィルムユニット容器仮収容部３２に仮収容される。
【００２６】
カートリッジ仮保持装置３５には、フィルムカートリッジ１１が、そのシャッタが開かれて開口し、このシャッタの開口からＡＰＳフィルムの先端部が出された（ベロ出しされた）状態にて仮保持される。ＡＰＳフィルムのベロ出しには、例えば、図６に示すベロ出し用の治具７０が用いられる。
【００２７】
図６のベロ出し用の治具７０は、例えば、フィルムカートリッジ１１を仮保持する治具本体７１、そして本体７１の壁体に取り付けられたシャッタ開閉具７２及び軸回転具７３などから構成されている。シャッタ開閉具７２及び軸回転具７３は、それぞれカートリッジ１１のシャッタ開閉用の孔部及び軸回転用の孔部に差し込まれる。
【００２８】
シャッタ開閉具７２は、差込具７２ａとシャッタ駆動具７２ｂとから構成されている。、シャッタ駆動具７２ｂは、つまみ７４に接続されていて、つまみ７４を回すと差込具７２ａの外周面に沿って移動してカートリッジ１１のシャッタ２１を開閉させる。また、軸回転具７３は、つまみ７５に接続されていて、つまみ７５を回すと回転してカートリッジ１１の内部にあるＡＰＳフィルムが巻き付けられている軸を回転させる。
【００２９】
例えば、ベロ出し用治具７０に予めフィルムカートリッジ１１を仮保持させておき、暗所にて、つまみ７４を回してカートリッジ１１のシャッタ２１を開き、そしてつまみ７５を回してカートリッジ１１の内部の軸を回転させると、シャッタ２１の開口からＡＰＳフィルム１２の先端部を出す（ベロ出しする）ことができる。
【００３０】
図３に示すカートリッジ仮保持装置３５には、ベロ出しされたＡＰＳフィルムを収容しているカートリッジ１１が、そのシャッタ開閉用の孔部と軸回転用の孔部とに、それぞれカートリッジ支持ロッド４４とカートリッジ支持ロッド４５とが差し込まれた状態にて仮保持される。
【００３１】
そしてカートリッジ１１から出された先端部を持ってＡＰＳフィルムをカートリッジから引き出すか、あるいはカートリッジ支持ロッド４５に接続されている、支持ロッド回転ノブ４６を手で回してＡＰＳフィルムをカートリッジから更に出すかして、フィルムの先端部をフィルム巻き取り装置３８のフィルム巻き取り軸４７に形成されたスリット４８に挿入して仮固定する。またＡＰＳフィルムの先端部をスリット４８に挿入する前に、フィルム巻き取り軸４７に接続されている軸回転ノブ４９を手で回して、スリット４８をフィルムの先端部を挿入し易い位置に予め配置しておくことが好ましい。
【００３２】
次に、フィルム巻き取り装置３８のモータ（例えば、パルスモータ）５０を、基台３１の左右方向の両端部に設置されているモータ駆動用スイッチ５０ａ、５０ｂを押して駆動して、フィルム巻き取り軸４７の軸回転を駆動する。これによりフィルム巻き取り軸４７が回転を始め、この巻き取り軸４７にＡＰＳフィルム１２がロール状に巻かれてフィルム巻回体１３が形成されていく。なお、モータ５０は、作業者が駆動スイッチ５０ａ、５０ｂの両方を押さないと、すなわち両手がフィルム巻き取り軸４７の周辺から離れた状態でないと安全上の理由で駆動しないようになっている。
【００３３】
そして光センサ３９はＡＰＳフィルム１２の幅方向端部近傍に光を照射して、例えば、フィルム１２に反射された光の光量の変動量からフィルム１２に形成された透孔（例えば、最終フレームの近傍にある透孔１９）を検出する。図２に示すように、光センサ３９は、基台３１の上に設置されたボールねじ５８に支持板５９を用いて固定されている。このボールねじ５８のつまみ５８ａを回すことにより、光センサ３９の基台３１の左右方向における配置を調節することができる。
【００３４】
一方、図３に示すフィルム巻き取り装置３８のモータ５０には制御装置が備えられており、この制御装置は、上記の光センサ３９の透孔１９の検出結果に基づいて、フィルム１２の最終フレームが所定の位置に配置されまでフィルム巻き取り軸４７を回転させた後に、巻き取り軸４７の軸回転を停止させる。
【００３５】
このように、フィルム巻き取り装置３８は、軸回転が可能なように主レバー３７に固定されたフィルム巻き取り軸４７、巻き取り軸４７の軸回転を駆動するモータ５０、そして上記の光センサ３９の透孔の検出結果に基づいてモータ５０の軸回転を停止させる制御装置（図示は略する）から構成されていることが好ましい。
【００３６】
また、図３に示すフィルムガイド５１ａ、５１ｂは、フィルム巻回体１３の巻きずれを防止するために設けられている。各々のフィルムガイドは、主レバー３７に固定されたフィルムガイド支柱５２に回転可能に軸支されたフィルムガイド固定具５３に固定されている。
【００３７】
図３及び図４に示すように、フィルムガイド５１ａのフィルムガイド５１ｂの側の面には溝部５４ａが形成されており、そしてフィルムガイド５１ｂには前記溝部と同じ形状の切り欠き部（後に示す図８の５４ｂ）が形成されている。そしてフィルムガイド５１ａとフィルムガイド５１ｂとは、各々溝部５４ａと切り欠き部５４ｂとによりフィルム巻き取り軸４７に嵌め合わされている。フィルムガイド５１ａ、５１ｂは、フィルムガイド支柱５２を中心にして、図４に記入した矢印５５が示す方向に回転して、フィルム巻き取り軸４７から離脱可能とされている。
【００３８】
そして上記のようにしてフィルム巻回体１３を形成して、フィルム巻き取り軸４７の軸回転を停止させたのち、図２及び図４に示すように主レバー３７を、そのハンドル部３６を手で持ってフィルム巻き取り装置３８が上方に移動するように起点位置（実線で記入した主レバーの位置）から回転させる。これにより主レバー３７は二点鎖線で記入した位置に配置され、この主レバー３７の回転に連動して回転する主レバー補助ロッド４０もまた二点鎖線で記入した位置に配置される。
【００３９】
主レバー３７は、起点位置にて基台３１の上面に対して平行に配置されていることが好ましい。このように主レバーが配置されていると、前述のセンサ３９によるＡＰＳフィルムの幅方向端部近傍に形成された透孔の検出が容易になるからである。
【００４０】
そして更に主レバー３７を基台３１の前方から後方へと移動させていくと、図７及び図８に示すように、案内部材４１によって主レバー補助ロッド４０の端部の高さ方向の位置が規制される。このため主レバー３７のハンドル部３６を下方には移動することは出来なくなり、主レバー３７は傾斜状態（すなわちフィルム巻き取り装置３８が上方に移動された状態）を保ったまま基台３１に沿って後方へと移動していく。この主レバー３７の移動と共に、カートリッジ仮保持装置３５に仮保持されているフィルムカートリッジ１１もまた基台３１の後方へと移動していく。
【００４１】
そして更に主レバー３７を基台３１の後方へと移動させていくと、フィルムカートリッジ１１はフィルムユニット容器１６のフィルムカートリッジ収容部１４に装填され、そしてフィルム巻き取り装置３８のフィルム巻き取り軸４７に巻き取られたフィルム巻回体１３は、フィルムユニット容器１６のフィルム巻回体収容部１５の上方に配置される。
【００４２】
このようにフィルムカートリッジ１１をその収容部１４に装填する際に、カートリッジ１１とフィルムユニット容器１６との衝突を防止するため、レール３３の後端部と支柱３４の下部とには各々支柱ストッパ５６ａ、５６ｂが付設されている。これらのストッパ５６ａ、５６ｂが互いに接触すると主レバー３７を後方に移動できなくなり、この状態においてカートリッジ１１の基台後方側端部と容器１６との間に僅かな隙間が生ずるように各々のストッパの配置が調節されている。
【００４３】
一方、フィルムカートリッジ１１がカートリッジ収容部１４の所定の位置に装填されると、支柱案内部材４１による主レバー補助ロッド４０の端部の高さ方向の位置の規制が解除され、主レバー３７のハンドル部３６を下方に移動させることが可能になる。そして主レバー３７のハンドル部３６を下方に移動させると、フィルム巻き取り装置３８が下方に移動していき、図９及び図１０に示すようにフィルム巻回体１３はフィルム巻回体収容部１５に装填され、そしてフィルムガイド固定具５３は容器位置決め枠４２の突出部４２ａに接触するためにフィルムガイド（図３：５１ａ、５１ｂ）と共にフィルムガイド支柱５２を中心にして上方に回転する。また上記のハンドル部３６の下方への移動を補助するために、主レバー補助ロッド４０と支柱３４の台座部３４ａとはコイルバネ６０により互いに接続されている。
【００４４】
このように案内部材４１は、主レバー３７をフィルム巻き取り装置３８が上方に移動するように起点位置から回転させた際に、この回転に連動して回転した主レバー補助ロッド４０の端部の高さ方向の位置を規制しながら、フィルムカートリッジ１１がカートリッジ収容部１４に到達するまで主レバー補助ロッド４０の端部を基台３１に沿って前方から後方へと案内する。
【００４５】
フィルムカートリッジ１１とフィルム巻回体１３とをフィルムユニット容器１６の各々の収容部に装填したのち、カートリッジ仮保持装置３５に備えられている補助レバー５７を手前側に倒すとカートリッジ支持ロッド４４、４５が基台前方側に退いて、フィルムカートリッジ１１が仮保持装置３５から離脱する。
【００４６】
さらに主レバー３７を基台３１に沿って後方から前方に移動させると、フィルム巻回体１３が持つＡＰＳフィルム先端部がフィルム巻き取り軸４７のスリットから外れ、そして主レバー３７は図２及び図４に実線で記入した起点位置に復帰する。
【００４７】
図５に示すように基台３１を、例えば、基台支持台３１ａの上に固定すると、基台３１の上面が前方から後方にかけて高くなるような傾斜を持つようになる。基台３１の上面に傾斜を持たせることにより、主レバー３７を支持している支柱３４がレール３３の前方にある状態で安定する。支柱３４は、支柱ストッパ５６ｃによりレール３３の前方側に外れないように支持される。基台３１の傾斜角度は１乃至３０度の範囲にあることが好ましく、２乃至１０度の範囲にあることが更に好ましく、約５度であることが特に好ましい。
【００４８】
以上のような操作により、フィルムユニット容器１６へのＡＰＳフィルムの装填作業が終了する。そして最後にフィルムユニット容器１６に図１に示す蓋１７をして、次いでカートリッジ収容部蓋材１４ａとフィルム巻回体収容部蓋材１５ａとを折り曲げて各々の収容部に蓋をすることによりレンズ付きフィルムユニットの作製が終了する。
【００４９】
このように、本発明のフィルム装填装置はその構成が簡単であると共に、例えば、ＡＰＳフィルムをフィルムカートリッジから所定の長さだけ引き出し、これをロール状に巻いてフィルム巻回体を形成し、そしてフィルムカートリッジとフィルム巻回体とをレンズ付きフィルムユニット容器の各々の収容部に装填するまでの作業を、暗所においても主レバー等を用いた簡易な操作によって正確に行なうことができるため、少量のレンズ付きフィルムユニットを製造する際に有利に用いることができる。
【００５０】
図１１は、図２のフィルム装填装置３０を用いたレンズ付きフィルムユニットの製造装置の構成例を示す図である。図１１に示すように、フィルム装填装置３０は、暗箱８０の内部に収容されている。暗箱内のフィルム装填装置３０の上方には、ＣＣＤカメラ（図示せず）が設置されていて、フィルム装填装置３０の状態をモニタ８１で見ながら作業できるようにされている。暗箱８０の前面板８２は、ヒンジ８３により開閉可能となっていて、作業に必要なフィルムユニット容器、フィルムユニット容器の蓋、ＡＰＳフィルムが収容されているフィルムカートリッジ、そしてベロ出し用治具を暗箱に入れたり、作製したレンズ付きフィルムユニットを暗箱から出したりすることができるようにされている。
【００５１】
次に、第二の発明のフィルム装填装置を、添付の図面を用いて説明する。図１２は、第二の発明のフィルム装填装置を上から見た図であり、そして図１３は、図１２のフィルム装填装置１３０の主レバー１３７の周辺の機構を基台１３１の後方側（フィルムユニット容器仮収容部１３２の側）から見た図である。
【００５２】
図１２及び図１３に示すフィルム装填装置１３０は、３５ｍｍフィルムを用いたレンズ付きフィルムユニットの製造用として、フィルムユニット容器仮収容部１３２のサイズや配置が定められ、そしてパトローネ仮保持装置１３５が３５ｍｍフィルム用のフィルムパトローネを仮保持できるように設計されている。
【００５３】
フィルム装填装置１３０は、基台１３１、基台１３１の上面の後方に配置された、パトローネ収容部１１４とパトローネから引き出されたフィルムの巻回体の収容部１１５とを有するレンズ付きフィルムユニット容器１１６を仮収容するフィルムユニット容器仮収容部１３２、基台１３１の上面に前後に伸びるように配置されたレール１３３、レール１３３の上部にレール１３３に沿って前後に移動可能に係合している支柱１３４、支柱１３４の上部に固定されている、支柱１３４の後方への移動によりパトローネ１１１をパトローネ収容部１１４まで仮保持するパトローネ仮保持装置１３５、一方の端部がハンドル部１３６を形成し、他方の端部が支柱１３４の上部に回転可能に軸支されている、基台１３１の左右に伸びる主レバー１３７、主レバー１３７の軸支部とハンドル部１３６との中間位置に固定されたフィルム巻き取り装置１３８、一方の端部が主レバー１３７と同軸に軸支されている、主レバー１３７と連動して回転する主レバー補助ロッド１４０、そして主レバー１３７をフィルム巻き取り装置１３８が上方に移動するように起点位置から回転させた際に、この回転に連動して回転した主レバー補助ロッド１４０の他方の端部の高さ方向の位置を規制しながら、パトローネ１１１がパトローネ収容部１１４に到達するまで主レバー補助ロッド１４０の上記他方の端部を基台１３１に沿って前方から後方へと案内する、基台上面の側部に前後に伸びて配置された案内部材１４１などから構成されている。
【００５４】
フィルム装填装置１３０の構成は、フィルムユニット容器仮収容部１３２の容器位置決め枠１４２や容器受け台１４３のサイズや配置が３５ｍｍフィルムを用いたレンズ付きフィルムユニットの容器１１６を仮収容できるように設計されていること、パトローネ仮保持装置が３５ｍｍフィルムを収容するパトローネ１１１を仮保持できるように構成されていること、そしてフィルムの透孔を検出する光センサ（図３：３９）が備えられていないこと以外は図２から図１１を用いて説明した第一の発明のフィルム装填装置３０と同様である。このため以下では、フィルム装填装置１３０の構成については簡単に説明する。
【００５５】
第一の発明のフィルム装填装置３０の場合と同様に、フィルム装填装置１３０の主レバー１３７もまた、起点位置（図１３に実線で記入した主レバーの位置）にて基台１３１の上面に対して平行に配置されていることが好ましい。
【００５６】
パトローネ仮保持装置１３５は、３５ｍｍフィルム１１２を収容する金属製のパトローネ１１１を仮保持できるように設計されている。パトローネ仮保持装置１３５は、円盤状マグネット１３５ａとマグネット支持棒１３５ｂとを収容する円筒部１３５ｃ、そして補助レバー１５７から構成されている。補助レバー１５７を、補助レバーの軸を中心にして回転させることにより、円盤状マグネット１３５ａが前後に移動するようになっている。これにより、３５ｍｍフィルムを収容する金属製パトローネの仮保持（あるいは取り外し）が可能とされている。
【００５７】
図１２に示すように、フィルム巻き取り装置１３８は、軸回転が可能なように主レバー１３７に固定されたフィルム巻き取り軸１４７、フィルム巻き取り軸１４７の軸回転を駆動するモータ１５０、そしてフィルム巻き取り軸１４７とモータ１５０とを仮接合状態に置き、パトローネ１１１とフィルム巻き取り軸１４７との間に所定以上の負荷がかかった場合に、フィルム巻き取り軸とモータとの仮接合を切り離す仮接合装置１６１から構成されていることが好ましい。仮接合装置１６１には、円盤状マグネットを用いることが好ましい。
【００５８】
仮接合装置１６１がフィルム巻き取り軸１４７とモータ１５０とを切り離すときの負荷は、パトローネ１１１の内部に固定されたフィルム１１２の端部を、パトローネ１１１から引き外すために要する力よりも弱い力とすることが好ましい。
【００５９】
３５ｍｍフィルムは、ＡＰＳフィルムの場合と異なり写真撮影を行なうフレームの位置が定められていない。このためフィルム巻き取り装置１３８は、パトローネから３５ｍｍフィルムを最後まで引き出してフィルムの巻回体を形成する。従って、フィルム装填装置１３０は、フィルムの透孔を検出する光センサ（図３：３９）を備えておらず、従ってモータ１５０はフィルム巻き取り軸１４７の軸回転を光センサの透孔の検出結果に基づいて停止させる制御装置を備えていないので、その構成が第一の発明のフィルム装填装置３０よりも簡単である。
【００６０】
このフィルム装填装置１３０の基本的な動作は、図２から図１１を用いて説明したフィルム装填装置３０と同様であるので説明を省略する。そしてフィルム装填装置１３０もまた、その構成が簡単であると共に、例えば、３５ｍｍフィルムをパトローネから所定の長さだけ引き出し、これをロール状に巻いてフィルム巻回体を形成し、そしてパトローネとフィルム巻回体とをレンズ付きフィルムユニット容器の各々の収容部に装填するまでの作業を、暗所においても主レバー等を用いた簡易な操作によって正確に行なうことができるため、少量のレンズ付きフィルムユニットを製造する際に有利に用いることができる。
【図面の簡単な説明】
【００６１】
【図１】第一の発明のフィルム装填装置によって有利に製造することができるＡＰＳフィルムを用いたレンズ付きフィルムユニットの構成例を示す分解斜視図である。
【図２】第一の発明のフィルム装填装置の正面図である。
【図３】図２のフィルム装填装置３０の平面図である。
【図４】図２のフィルム装填装置３０の背面図である。
【図５】図２のフィルム装填装置３０の右側面図である。
【図６】ＡＰＳフィルムのベロ出し用治具の構成例を示す斜視図である。
【図７】図２のフィルム装填装置３０の主レバー補助ロッド４０が案内部材４１により案内されている状態を示す平面図である。
【図８】図７のフィルム装填装置３０の背面図である。但し、フィルム装填装置３０のフィルムユニット容器仮収容部及びモータ駆動用スイッチ５０ａ、５０ｂの記載は省略してある。
【図９】図２のフィルム装填装置３０により、レンズ付きフィルムユニット容器１６にフィルムカートリッジ１１及びフィルム巻回体１３を装填した状態を示す平面図である。
【図１０】図９のフィルム装填装置３０の背面図である。但し、フィルム装填装置３０のモータ駆動用スイッチ５０ａ、５０ｂの記載は省略してある。
【図１１】図２のフィルム装填装置３０を用いたレンズ付きフィルムユニットの製造装置の構成例を示す図である。
【図１２】第二の発明のフィルム装填装置を上から見た図である。
【図１３】図１２のフィルム装填装置１３０の主レバー１３７の周辺の機構を基台１３１の後方側（フィルムユニット容器仮収容部１３２の側）から見た図である。
【符号の説明】
【００６２】
１０  レンズ付きフィルムユニット
１１  フィルムカートリッジ
１２  ＡＰＳフィルム
１３  フィルム巻回体
１４  フィルムカートリッジ収容部
１４ａ  カートリッジ収容部蓋材
１５  フィルム巻回体収容部
１５ａ  フィルム巻回体収容部蓋材
１６  レンズ付きフィルムユニット容器
１７  蓋
１８、１９  透孔
２０  最終フレーム
２１  シャッタ
２２  シャッタ開閉用の孔部
２３  軸回転用の孔部
３０  フィルム装填装置
３１  基台
３１ａ  基台支持台
３２  フィルムユニット容器仮収容部
３３  レール
３４  支柱
３４ａ  台座部
３５  カートリッジ仮保持装置
３６  ハンドル部
３７  主レバー
３８  フィルム巻き取り装置
３９  光センサ
４０  主レバー補助ロッド
４１  案内部材
４２  容器位置決め枠
４２ａ  突出部
４３  容器受け台
４４、４５  カートリッジ支持ロッド
４６  支持ロッド回転ノブ
４７  フィルム巻き取り軸
４８  スリット
４９  軸回転ノブ
５０  モータ
５０ａ、５０ｂ  モータ駆動用スイッチ
５１ａ、５１ｂ  フィルムガイド
５２  フィルムガイド支柱
５３  フィルムガイド固定具
５４ａ  溝部
５４ｂ  切り欠き部
５５  フィルムガイドの回転方向を示す矢印
５６ａ、５６ｂ、５６ｃ  支柱ストッパ
５７  補助レバー
５８  ボールねじ
５８ａ  つまみ
５９  支持板
６０  コイルバネ
７０  ベロ出し用治具
７１  治具本体
７２  シャッタ開閉具
７２ａ  差込具
７２ｂ  シャッタ駆動具
７３  軸回転具
７４、７５  つまみ
８０  暗箱
８１  モニタ
８２  前面板
８３  ヒンジ
１１１  パトローネ
１１２  ３５ｍｍフィルム
１１３  フィルム巻回体
１１４  パトローネ収容部
１１５  フィルム巻回体収容部
１１６  レンズ付きフィルムユニット容器
１３０  フィルム装填装置
１３１  基台
１３２  レンズ付きフィルムユニット容器仮収容部
１３３  レール
１３４  支柱
１３５  パトローネ仮保持装置
１３５ａ  円盤状マグネット
１３５ｂ  マグネット支持棒
１３５ｃ  円筒部
１３６  ハンドル部
１３７  主レバー
１３８  フィルム巻き取り装置
１４０  主レバー補助ロッド
１４１  案内部材
１４２  容器位置決め枠
１４３  容器受け台
１４７  フィルム巻き取り軸
１４８  スリット
１４９  軸回転ノブ
１５０  モータ
１５１ａ、１５１ｂ  フィルムガイド
１５２  フィルムガイド支柱
１５３  フィルムガイド固定具
１５７  補助レバー
１６０  コイルバネ
１６１  仮接合装置
【図１】
2006267498.tif 000003
【図２】
2006267498.tif 000004
【図３】
2006267498.tif 000005
【図４】
2006267498.tif 000006
【図５】
2006267498.tif 000007
【図６】
2006267498.tif 000008
【図７】
2006267498.tif 000009
【図８】
2006267498.tif 000010
【図９】
2006267498.tif 000011
【図１０】
2006267498.tif 000012
【図１１】
2006267498.tif 000013
【図１２】
2006267498.tif 000014
【図１３】
2006267498.tif 000015